(57)【要約】      （修正有）【課題】既設の車椅子を利用して股関節から足先の骨折損傷部位を副木やギブスで固定した形状の患者を患者であっても、搬送する人であっても楽に簡単に車椅子で搬送することができる車椅子用フットレストを提供する。【解決手段】下肢骨折患者の股関節から足先の骨折損傷部位を副木やギブスで固定した形状の左右いずれかの脚を水平に載せて搬送できる車椅子用フットレスト１００は、既設の車椅子に嵌脱できる下肢骨折患者用着座具９０を装着して設けた。該下肢骨折患者用着座具９０は、車椅子の座部と、アームレスト１２と、背面部１３に嵌め置くことができる座席を設けた。該座席は、座席を支える座席支持柱８２を前方裏面に垂直に保持固着して設けた。該座席支持柱８２の先端は床あるいは地面に着地して全方向に転がるキャスター８８を設けた。座席を車椅子に嵌脱できるように左右のアームレスト１２に被嵌する固定部８３を設けた。【選択図】図２
2007136130.tif 000002
【特許請求の範囲】
【請求項１】
下肢骨折患者の股関節から足先の骨折損傷部位を副木やギブスで固定した形状の左右いずれかの脚を水平に載せて搬送できる車椅子用フットレストであって、該車椅子用フットレスト（１００）は、既設の車椅子（１０）に嵌脱できるよう装着して設けた下肢骨折患者用着座具（９０）と、該下肢骨折患者用着座具（９０）は、車椅子（１０）の座部（１１）と、アームレスト（１２）と、背面部（１３）に嵌め置くことができるよう設けた座席（８１）と、該座席（８１）は、座席（８１）を支えるように前方裏面に垂直に保持固着して設けた座席支持柱（８２）と、該座席支持柱（８２）は座部（１１）との高さ調整ができて、座席支持柱（８２）の先端は床あるいは地面に着地して全方向に転がるキャスター（８８）を設けて、座席（８１）の全体を保持カバー（８４）で包んでなる下肢骨折患者用着座具（９０）を車椅子（１０）に嵌脱できるよう左右のアームレスト（１２）に被嵌するよう設けた固定部（８３）と、該固定部（８３）は座席（８１）に患者が着座すると患者の体重でアームレスト（１２）を押止して固定保持するよう設けたアームレスト保持部（８７）と、座席（８１）の全体を袋状に包むように設けた保持カバー（８４）と、該保持カバー（８４）に設けたアームレスト保持部（８７）と、保持カバー（８４）は背面部（１３）に巻着する背面部固定バンド（８６）と、患者の患部脚を保持する保持バンド（８５）を設けた構成であることを特徴とする車椅子用フットレスト。
【請求項２】
上記記載の車椅子用フットレストであって、下肢骨折患者用着座具（９０）は、下肢骨折患者の脚左用（９９）と、脚右用（９８）として使用する脚ごと左右区別して設けた構成であることを特徴とする請求項１記載の車椅子用フットレスト。
【請求項３】
前記記載の車椅子用フットレストであって、下肢骨折患者用着座具（９０）の座席（８１）の材質は、木材あるいは、プラスチックまたは、アルミニュームやチタン等を用いる構成であることを特徴とする請求項１ないし２記載の車椅子用フットレスト。
【請求項４】
前記記載の車椅子用フットレストであって、下肢骨折患者用着座具（９０）の座席（８１）を袋状に包み込んで保持固定するよう設けた保持カバー（８４）と、該保持カバー（８４）は、強い合成繊維であるパラ型アラミドを空気の流通よい織布に仕上げ、又は帆布等を用いて、保持カバー（８４）に設けたアームレスト保持部（８７）と、背面固定バンド（８６）と、脚保持バンド（８５）の止め用具としてマジックテープ（６０）（登録商標）を設けた構成であることを特徴とする請求項１ないし３記載の車椅子用フットレスト。
【請求項５】
前記記載の車椅子用フットレストであって、下肢骨折患者用着座具（９０）の座席（８１）を分割して設けた下肢骨折患者が着座する着座部（９１）と、下肢骨折患者の股関節から足先の骨折損傷部位を副木やギブスで固定した形状の脚を水平に載せる脚保持部（９２）と、該着座部（９１）に設けた嵌合孔（９３）と、該脚保持部（９２）に設けた嵌合軸（９４）とを嵌合させて患者の使用する左脚又は右脚に応じて脚保持部（９２）の位置を移動できる構成であることを特徴とする請求項１と３ないし４記載の車椅子用フットレスト。
【発明の詳細な説明】
【技術分野】
【０００１】  本発明は、下肢骨折者の院内搬送において、既設の車椅子に下肢骨折患者用着座具を装着して安全に最適な姿勢を保持して搬送できる車椅子用フットレストに関する。
【背景技術】
【０００２】  下肢骨折患者とは、股関節から足先にかけての骨折損傷であって、骨折損傷部位を動かさないよう保持するため副木等で固定される。骨折損傷部位の右あるいは左の股関節から足先にかけて太く周辺を巻かれ保持された患者を車椅子で搬送するため着座させるも車椅子のフットレストでは対応できない。現況は訪院当初においては患者搬送用寝台を用いて搬送している。その際に患者はプラスチック製又は金属製の下肢装具を装着した場合もあり、その際の患者の院内移動についてもその都度病院は種々な対応を求められている。【０００３】  電動車椅子に設けたフットレストを水平に伸ばせる仕掛けが開示されている。フットレストの一部を回動する際に、スライドアームが前方へスライドして足載せ部の位置が前進することにより、フットレストを水平方向へ回動させることが出来る電動車椅子のフットレスト（特許文献１参照）。
特許文献１の電動車椅子のフットレストは、病院に何台も配置しておくわけにはいかない。電動車椅子は車椅子より数倍高価である。【０００４】  また、自立式可動用歩行器が開示されている。それによると、従来から松葉杖や車椅子に頼っていた。松葉杖ではスムースな歩行が困難であり、車椅子は狭い場所や入り組んだ場所を歩行することは機敏性に欠けていた。そこで、負傷した足の脛骨部分をのせる台に対して支柱が回転自在を可能にする７と、高さを調整する昇降調節レバー３と、台を支える支柱４と、支柱を支えるための脚５と、車輪又はキャスターを設ける（特許文献２参照）。
特許文献２の自立式可動用歩行器は、キャスターのある椅子で片足をのせて自立して歩行出来るか確かめてもわるように危険で歩行出来る代物ではない。【０００５】  台車式担架が開示されている。障害物等により狭くなった箇所でも、移動させることができ、かつ、一人で負傷者等の搬送を行うこともできる。台車式担架である（特許文献３参照）。
特許文献３の台車式担架は、担架の先端に車輪を設けてある。震災を想定した代物である。【０００６】  フットレストを水平とする車椅子が開示されている。車椅子の座席の昇降ができて、座席の座部が上昇するとフットレストは垂直に位置して、座席の座部を下降させた際に、フットレストは水平となる仕掛けを設けて、使用者の足が自然に伸びて、使用者の足に負担がかからないようにしている（特許文献４参照）。
特許文献４の車椅子は、座席の座部を下降させた際に、フットレストは水平となるが下肢骨折者の副木等を付けた形状の脚を左右別々に水平に保つ構造にはない。下肢骨折者を搬送する際、座席の座部を下降させる必要はない。また構造的に複雑で車椅子より高価となる。【０００７】  医療用副木が開示されている。ギブスに使用される医療用の副木に関するもので、優れた通気性と、患部から感染を防ぐ副木である（特許文献５参照）。
特許文献５の医療用副木は、副木を効果的にした物であって副木を使用した患者の搬送についての考慮は特にない。【０００８】  クリアギブスが開示されている。表皮に外傷を伴う骨折、特に開放性骨折の場合、透明な素材で形成することにより、創傷部の経過を容易に観察、治療することができる（特許文献６参照）。
特許文献６のクリアギブスは、開放性骨折に効果的であってクリアギブスを使用した患者の搬送についての考慮は特にない。【０００９】
【特許文献１】  特開２００３−１１６９２８
【特許文献２】  特開２００４−２２９６７７
【特許文献３】  特開２０００−６０９０１
【特許文献４】  特開２００１−２０４７６８
【特許文献５】  特開２００４−２０１９００
【特許文献６】  特開２００５−２３０５１０
【００１０】  以上に述べたように下肢骨折患者の院内搬送において、車椅子で搬送するため着座させるも患者の股関節から足先の骨折損傷部位を副木やギブスで固定した形状の脚では車椅子のフットレストは対応できない。前記記載の電動車椅子やフットレストの水平となる車椅子は、特殊であって病院に常備されていない。従来から足腰の弱くなった患者を院内搬送する際は、車椅子は重宝されている。副木やギブスを固定した患者用としての車椅子はない。病院に常備されている車椅子を利用して、楽に下肢骨折患者の院内搬送を患者自身あるいは、搬送者であっても簡単に搬送する必要があった。
【発明の開示】
【発明が解決しようとする課題】
【００１１】  股関節から足先の骨折損傷部位を副木やギブスで固定した形状の患者を車椅子で搬送する際に、患者の着座する車椅子に下肢骨折患者用着座具を置いて、その上に患者が着座すると患者の体重で下肢骨折患者用着座具装着が車椅子に固定されて、患者の股関節から足先の骨折損傷部位を副木やギブスで固定した形状の脚を水平に載せることができ、患者であっても、搬送する人であっても楽に簡単に車椅子で搬送することができる車椅子用フットレストを提供することを目的としている。【００１２】  本発明の前記並びにその他の目的と新規の特徴は、次の説明を添付図面と照らし合わせて読むならば、より完全であり、明瞭になるであろう。図面は専ら解説のためのものであって、本発明の技術的範疇を限定するものではない。
【課題を解決するための手段】
【００１３】  上記目的を達成するために、本発明では、下肢骨折患者の股関節から足先の骨折損傷部位を副木やギブスで固定した形状の左右いずれかの脚を水平に載せて搬送できる車椅子用フットレストであって、該車椅子用フットレスト１００は、既設の車椅子１０に嵌脱できる下肢骨折患者用着座具９０を装着して設けた。該下肢骨折患者用着座具９０は、車椅子１０の座部１１と、アームレスト１２と、背面部１３に嵌め置くことができる座席８１を設けた。該座席８１は、座席８１を支える座席支持柱８２を前方裏面に垂直に保持固着して設けた。該座席支持柱８２は座部１１との高さ調整ができて、座席支持柱８２の先端は床あるいは地面に着地して全方向に転がるキャスター８８を設けた。座席８１の全体を保持カバー８４で包んでなる下肢骨折患者用着座具９０を車椅子１０に嵌脱できるように左右のアームレスト１２に被嵌する固定部８３を設けた。該固定部８３は座席８１に患者が着座すると患者の体重でアームレスト１２を押止して固定保持するアームレスト保持部８７を設けた。座席８１の全体を袋状に包むように保持カバー８４を設けた。該保持カバー８４にアームレスト保持部８７を設けた。該保持カバー８４は背面部１３に巻着する背面部固定バンド８６と、患者の患部脚を保持する保持バンド８５を設けた構成の車椅子用フットレストである。【００１４】  また、請求項２記載の発明では、請求項１記載の車椅子用フットレストであって、下肢骨折患者用着座具９０は、下肢骨折患者の脚左用９９と、脚右用９８として使用する脚ごと左右区別して設けた構成の車椅子用フットレストである。【００１５】  また、請求項３記載の発明では請求項１ないし２記載の車椅子用フットレストであって、下肢骨折患者用着座具９０の座席８１の材質は、木材あるいは、プラスチックまたは、アルミニュームやチタン等を用いる構成の車椅子用フットレストである。【００１６】  また、請求項４記載の発明では、請求項１ないし３記載の車椅子用フットレストであって、下肢骨折患者用着座具９０の座席８１を袋状に包み込んで保持固定するよう保持カバー８４を設けた。該保持カバー８４は、強い合成繊維であるパラ型アラミドを空気の流通よい織布に仕上げ、又は帆布等を用いて、保持カバー８４にで設けたアームレスト保持部８７と、背面固定バンド８６と、脚保持バンド８５の止め用具としてマジックテープ６０（登録商標）を設けた構成の車椅子用フットレストである。【００１７】  また、請求項５記載の発明では、請求項１と３ないし４記載の車椅子用フットレストであって、下肢骨折患者用着座具９０の座席８１を分割して下肢骨折患者が着座する着座部９１と、下肢骨折患者の股関節から足先の骨折損傷部位を副木やギブスで固定した形状の脚を水平に載せる脚保持部９２とを設けた。該着座部９１に嵌合孔９３と、該脚保持部９２に嵌合軸９４とを設けた。嵌合孔９３と、嵌合軸９４とを嵌合させて患者の使用する左脚又は右脚に応じて脚保持部９２の位置を移動できる構成の車椅子用フットレストである。
【発明の効果】
【００１８】  本発明の効果は、以下の発明からあきらかなように、次に列挙する通りである。【００１９】  請求項１の発明では、本発明では、下肢骨折患者の股関節から足先の骨折損傷部位を副木やギブスで固定した形状の左右いずれかの脚を水平に載せて搬送できる車椅子用フットレストであって、該車椅子用フットレストは、既設の車椅子に嵌脱できる下肢骨折患者用着座具を装着して設けた。該下肢骨折患者用着座具は、車椅子の座部と、アームレストと、背面部に嵌め置くことができる座席を設けた。該座席は、座席を支える座席支持柱を前方裏面に垂直に保持固着して設けた。該座席支持柱は座部との高さ調整ができて、座席支持柱の先端は床あるいは地面に着地して全方向に転がるキャスターを設けた。座席の全体を保持カバーで包んでなる下肢骨折患者用着座具を車椅子に嵌脱できるように左右のアームレストに被嵌する固定部を設けた。該固定部は座席に患者が着座すると患者の体重でアームレストを押止して固定保持するアームレスト保持部を設けた。座席の全体を袋状に包むように保持カバーを設けた。該保持カバーにアームレスト保持部を設けた。該保持カバーは背面部に巻着する背面部固定バンドと、患者の患部脚を保持する保持バンドを設けた構成の車椅子用フットレストであるので、患者の股関節から足先の骨折損傷部位を副木やギブスで固定した形状の脚を水平に載せることができ、患者であっても、搬送する人であっても楽に簡単に車椅子で搬送することができる。【００２０】  また、請求項２記載の発明では、請求項１記載の車椅子用フットレストであって、下肢骨折患者用着座具は、下肢骨折患者の脚左用と、脚右用として使用する脚ごと左右区別して設けた構成の車椅子用フットレストであるので、下肢骨折患者の脚左用と、脚右用として用意して置くことで、股関節から足先の骨折損傷部位を副木やギブスで固定した形状の患者を車椅子で搬送することが出来る。水平にフットレストを支持できる電動車椅子は、電動車椅子は車椅子より数倍高価である。病院に何台も配置しておくわけにはいかない。
患者も運転操作に慣れる必要があり即応体制には無理がある。【００２１】  また、請求項３記載の発明では、請求項１ないし２記載の車椅子用フットレストであって、下肢骨折患者用着座具の座席の材質は、木材あるいは、プラスチックまたは、アルミニュームやチタン等を用いる構成の車椅子用フットレストであるので、特殊な材料を使用するわけでもなく、特に木材で制作するならば安価に制作が可能である。【００２２】  また、請求項４記載の発明では、請求項１ないし３記載の車椅子用フットレストであって、下肢骨折患者用着座具の座席を袋状に包み込んで保持固定するよう保持カバーを設けた。該保持カバーは、強い合成繊維であるパラ型アラミドを空気の流通よい織布に仕上げ、又は帆布等を用いて、保持カバーに設けたアームレスト保持部と、背面固定バンドと、脚保持バンドの止め用具としてマジックテープ（登録商標）を設けた構成の車椅子用フットレストであるので、上記記載の材質で完成した座席を布製の袋状の保持カバーを用いて包み込んで使用するので、座席が治療のために汚れても布製の保持カバーであるため洗濯することで何時でも清潔に使用することができる。アームレスト保持部と、背面固定バンドと、脚保持バンドの止め用具としてマジックテープ（登録商標）を使用しているので着脱が容易である。【００２３】  また、請求項５記載の発明では、請求項１と３ないし４記載の車椅子用フットレストであって、下肢骨折患者用着座具の座席を分割して下肢骨折患者が着座する着座部と、下肢骨折患者の股関節から足先の骨折損傷部位を副木やギブスで固定した形状の脚を水平に載せる脚保持部とを設けた。該着座部に嵌合孔と、該脚保持部に嵌合軸とを設けた。嵌合孔と、嵌合軸とを嵌合させて患者の使用する左脚又は右脚に応じて脚保持部の位置を移動できる構成の車椅子用フットレストであるので、下肢骨折患者の脚左用と、脚右用として設ける必要もなく、保持カバーを左用と、右用を準備することで、患者の使用する脚によって脚左用と脚右用と自在に位置を移動することが出来る。
【発明を実施するための最良の形態】
【００２４】  以下、図面に示す実施するための最良の形態により、本発明を詳細に説明する。
【実施例１】
【００２５】  図１〜図７と、図９〜図１０に示す本発明の第１の実施するための最良の第１の形態において、図１は、本発明の車椅子用フィツトレス側面を示した図である。
本発明では、下肢骨折患者の股関節から足先の骨折損傷部位を副木やギブスで固定した形状の左右いずれかの脚を水平に載せて搬送できる車椅子用フットレストであって、該車椅子フットレスト１００は、既設の車椅子１０に嵌脱できる下肢骨折患者用着座具９０を装着して設けた。該下肢骨折患者用着座具９０は、車椅子１０の座部１１と、アームレスト１２と、背面部１３に嵌め置くことができる座席８１を設けた。該座席８１は、座席８１を支える座席支持柱８２を前方裏面に垂直に保持固着して設けた。該座席支持柱８２は座部１１との高さ調整ができて、座席支持柱８２の先端は床あるいは地面に着地して全方向に転がるキャスター８８を設けた。座席８１の全体を保持カバー８４で包んでなる下肢骨折患者用着座具９０を車椅子１０に嵌脱できるように左右のアームレスト１２に被嵌する固定部８３を設けた。該固定部８３は座席８１に患者が着座すると患者の体重でアームレスト１２を押止して固定保持するアームレスト保持部８７を設けた。座席８１の全体を袋状に包む保持カバー８４を設けた。該保持カバー８４にアームレスト保持部８７を設けた。保持カバー８４は背面部１３に巻着する背面部固定バンド８６と、患者の患部脚を保持する保持バンド８５を設けた構成である。【００２６】  図２は、下肢骨折患者用着座具を装着した車椅子用フットレストの斜視図を示した図である。
本発明では、座席８１の全体を保持カバー８４で包んだ下肢骨折患者用着座具９０を既設の車椅子１０に左脚骨折患者が使用できるよう装着した。下肢骨折患者用着座具９０を車椅子１０に嵌脱できるように左右のアームレスト１２に固定部８３を被嵌した。該固定部８３は座席８１に患者が着座すると設けたアームレスト保持部８７が患者の体重を受けアームレスト１２を押止して固定保持する。座席８１を包んだ下肢骨折患者用着座具９０の前方裏面に垂直に保持固着して支える座席支持柱８２と、該座席支持柱８２は座部１１との高さ調整ができて、座席支持柱８２の先端は床あるいは地面に着地して全方向に転がるキャスター８８を設けた。１４は、従来の車椅子のフットレストである。保持バンド８５（図に記載せず）は患者の脚を保持する。【００２７】  図３は、座席全体を保持カバーでを包んだ下肢骨折患者用着座具の斜視図を示した図である。
上記記載の下肢骨折患者用着座具９０は、座席８１の全体を保持カバー８４で包んだ。
下肢骨折患者用着座具９０を車椅子１０に嵌脱できるように左右のアームレスト１２に固定部８３を被嵌した。固定部８３はアームレスト保持部８７に巻着固定した。アームレスト保持部８７は座席８１の全体を袋状に包む保持カバー８４設けた。該保持カバー８４とアームレスト保持部８７は連結しているため座席８１に患者が着座すると患者の体重でアームレスト１２を押止して下肢骨折患者用着座具９０を固定保持する。患者の患部脚を保持する保持バンド８５を保持カバー８４に設けた。座席８１を支える座席支持柱８２を前方裏面に垂直に保持固着して設けてあるので、該座席支持柱８２は座部１１との高さ調整ができて、座席支持柱８２の先端は床あるいは地面に着地して全方向にキャスター８８は転がる。【００２８】  図４は、下肢骨折患者用着座具の断面図を示した図である。
前記記載の座席８１の全体を保持カバー８４で袋状に包んだ下肢骨折患者用着座具９０の断面図である。座席８１の全体を保持カバー８４で袋状に包み設けたアームレスト保持部８７は固定部８３に巻着固定した。該固定部８３は、車椅子１０の左右のアームレスト１２に嵌脱できる。座席支持柱８２はカバーなし。【００２９】  図５は、下肢骨折患者用着座具の固定部の片側の斜視図を示した図である。
前記記載の固定部８３の斜視図である。該固定部８３は、保持カバー８４に設けたアームレスト保持部８７で巻着固定している。該アームレスト保持部８７は、固定部８３を巻着固定するも座部１１とアームレスト１２の間隔を車椅子１０によって調整する必要がある。固定部８３に巻着したアームレスト保持部８７を設けた止め用具のマジックテープ６０（登録商標）で調整する。【００３０】  図６は、下肢骨折患者用着座具の固定部の片側の側面図を示した図である。
前記記載の固定部８３の側面図である。該固定部８３は、保持カバー８４に設けたアームレスト保持部８７で巻着固定している。【００３１】  図７は、下肢骨折患者用着座具の固定部の片側の断面図を示した図である。
前記記載の図４の固定部の片側の断面図である。固定部８３は、保持カバー８４に設けたアームレスト保持部８７を巻着固定している。該固定部８３をアームレスト１２に被嵌する。【００３２】  図９は、下肢骨折患者左脚用の保持カバーの平面図を示した図である。
下肢骨折患者左脚用の保持カバー８４である。左脚用の保持カバー８４は、座席８１に着座して左脚を水平方向に保持出来ように左側に設け、該座席８１を袋状に包み込んで保持固定する。該保持カバー８４は、空気の流通のよい織布に仕上げた強い合成繊維であるパラ型アラミドあるいは帆布等を用いた。アームレスト保持部８７と、背面固定バンド８６と、脚保持バンド８５の止め用具のマジックテープ６０（登録商標）を設けた構成である。【００３３】  図１０は、下肢骨折患者右脚用の保持カバーの平面図を示した図である。
下肢骨折患者右脚用の保持カバー８４である。右脚用の保持カバー８４は、座席８１に着座して右脚を水平方向に保持出来るように右側に設け、該座席８１を袋状に包み込んで保持固定する。該保持カバー８４は、空気の流通のよい織布に仕上げた強い合成繊維であるパラ型アラミドあるいは帆布等を用いた。アームレスト保持部８７と、背面固定バンド８６と、脚保持バンド８５の止め用具としてマジックテープ６０（登録商標）を設けた構成である。【００３４】  図８は、従来の車椅子の斜視図を示した図である。
従来型の車椅子の斜視図である。車椅子１０の１１は座部で、１２はアームレストで、１３は背面部で、１４はフットレストである。下肢骨折患者の股関節から足先の骨折損傷部位を副木やギブスで固定した形状の左右いずれかの脚を水平に載せて搬送できない。【００３４】｛発明を実施するための異なる形態｝【００３５】  次に、図１１〜図１２に示す本発明を実施するための異なる形態につき説明する。なお、これらの本発明を実施するための異なる形態の説明に当たって、前記本発明を実施するための最良の第１の実施の形態と同一機構部分には同一符号を付して重複する説明を省略する。
【実施例２】
【００３６】  図１１〜図１２の本発明の第２の実施の形態において前記本発明の第１の実施の形態と主に異なる点は、車椅子用フットレスト１００の下肢骨折患者用着座具９０の座席８１を分割して、患者の着座する着座部９１と、患者が使用する脚に応じて脚保持部９２を左右に着脱と嵌合が自在に行えるように設けた。【００３７】  図１１は、下肢骨折患者用着座具の座席を分割した着座部の斜視図を示した図である。
下肢骨折患者用着座具９０の座席８１を分割した着座部９１は、下肢骨折患者の股関節から足先の骨折損傷部位を副木やギブスで固定した形状の左右の脚を水平に載せる脚保持部９２を嵌合保持できる嵌合孔９３を設けた。８３は固定部である。固定部８３は、保持カバー８４のアームレスト保持部８７を巻着固定する。【００３８】  図１２は、下肢骨折患者用着座具の座席を分割した脚保持部の斜視図を示した図である。
下肢骨折患者用着座具９０の座席８１を分割した脚保持部９２は、着座部９１の嵌合孔９３と着脱と嵌合が自在にできる嵌合軸９４を設けた。脚保持部９２を支える座席支柱８２と、該座席支柱８２の先端は床あるいは地面に着地して全方向に転がるキャスター８８を設けた。【００３９】  座席８１を分割した着座部９１と、脚保持部９２とを嵌合合体させて、保持カバー８４で包み込んで保持固定して下肢骨折患者用着座具９０として使用する。
【産業上の利用可能性】
【００４０】  本発明の車椅子フットレストは、下肢骨折患者用として病院内外で使用され、福祉機器産業において製造販売される。
【図面の簡単な説明】
【００４１】
【図１】  本発明を実施するための最良の第１の形態の車椅子用フットレストの側面図。
【図２】  本発明を実施するための最良の第１の形態の図１の斜視図。
【図３】  本発明を実施するための最良の第１の形態の図１の下肢骨折患者用着座具の斜視図。
【図４】  本発明を実施するための最良の第１の形態の図１の下肢骨折患者用着座具の断面図。
【図５】  本発明を実施するための最良の第１の形態の図４の固定部の片側の斜視図。
【図６】  本発明を実施するための最良の第１の形態の図４の固定部の片側の側面図。
【図７】  本発明を実施するための最良の第１の形態の図４の固定部の片側の断面図。
【図８】  従来の車椅子の斜視図を示した図である。
【図９】  本発明を実施するための最良の第１の形態の脚左用の下肢骨折患者用着座具の保持カバーの平面図。
【図１０】  本発明を実施するための最良の第１の形態の脚右用の下肢骨折患者用着座具の保持カバーの平面図。
【図１１】  本発明を実施するための最良の第２の形態の下肢骨折患者用着座具の着座部の斜視図。
【図１２】  本発明を実施するための最良の第２の形態の下肢骨折患者用着座具の脚保持部の斜視図。
【符号の説明】
【００４２】  １０  車椅子
１１  座部
１２  アームレスト
１３  背面部
１４  フットレスト
６０  マジックテープ（登録商標）
８１  座席
８２  座席支持柱
８３  固定部
８４  保持カバー
８５  保持バンド
８６  背面部固定バンド
８７  アームレスト保持部
８８  キャスター
９０  下肢骨折患者用着座具
９１  着座部
９２  脚保持部
９３  嵌合孔
９４  嵌合軸
９８  脚右用
９９  脚左用
１００  車椅子用フットレスト
【図１】
2007136130.tif 000003
【図２】
2007136130.tif 000004
【図３】
2007136130.tif 000005
【図４】
2007136130.tif 000006
【図５】
2007136130.tif 000007
【図６】
2007136130.tif 000008
【図７】
2007136130.tif 000009
【図８】
2007136130.tif 000010
【図９】
2007136130.tif 000011
【図１０】
2007136130.tif 000012
【図１１】
2007136130.tif 000013
【図１２】
2007136130.tif 000014